(57)【要約】【課題】光ピックアップの対物レンズのクリーニングに関するものである【解決手段】クリーニングディスク１には、中心孔２、回転止めトッパー３ａ、３ｂ、吸盤挿入孔４ａ、４ｂ、電池を取り付け孔５を設け、フレキシブルな状態で形成したリング状ベース６を形成すると共にクリーニングベース１１を取り付ける取り付け孔７を設けた凹溝８形成し、前記リング状ベース６には振動体１０を取り付け、清掃部材１４を設けたクリーニングベース１１とをリング状ベースに設けたフック９とクリーニングベースに設けた係合部により係合させ、該クリーニングベース１１をピン１５で前記取り付け孔７に複数挿入し形成し、また電池１６は前記取り付け孔に取り付け、電源リード１７は片側のみスイッチング用接点１９ｂをスイッチング可能に配置し、その上部に接点１９ａを設けたスイッチ１８を取り付け、電池１６と振動体１０の回路を構成している。【選択図】図１
2006024340.tif 000002
【特許請求の範囲】
【請求項１】
光ピックアップの対物レンズの汚れをクリーニングするレンズクリーナーにあって、小電力で振動（例えば、振動モーター等による）を発生させる振動体を、クリーニングディスクに取り付け、その振動を清掃部材に伝達する機構を設け構成したことを特徴とする光ピックアップクリーニングディスク。
【請求項２】
フレキシブルな状態で形成したリング状ベースに振動体をを取り付け、振動伝達機構を形成し、該振動伝達機構と係合する清掃部材が、一定の間隔を往復運動を繰り返し、清掃部材先端部には、フレキシブルな状態の振動が発生するように構成したことを特徴とする請求項１記載の光ピックアップクリーニングディスク。
【請求項３】
クリーニングディスク外周には、該クリーニングディスク回転防止レバー、及び必要に応じ使用できる吸盤取り付け孔を設け構成したことを特徴とする請求項１及び２記載の光ピックアップクリーニングディスク。
【発明の詳細な説明】
【発明が属する技術分野】
【０００１】本発明は、光ピックアップ対物レンズのクリーニングに関するものである。
【背景技術】
【０００２】現在市販されている多くの光ピックアップレンズクリーナーは、ディスク面に一つ又は複数のブラシ等の清掃部材が植毛され、該ディスクをプレーヤで再生することにより光ピックアップの対物レンズに清掃部材が接触し、該光ピックアップの対物レンズの汚れをクリーニングする。
【発明が解決しようとする課題】
【０００３】しかし、前記クリーニングディスクでは、ホコリ及び、ゴミ等の除去はできるが、頑固な汚れは除去しにくく、またクリーニングの方法が、一方向回転のため、除去されたホコリ及び、ゴミ等は光ピックアップの対物レンズの縁に残る場合もあり、光ピックアップの対物レンズ及び、周辺の機器の機能に、不具合をもたらす場合も考えられる。
【課題を解決する手段】
【０００４】本発明は、小電力で振動（例えば、振動モーター等による）を発生させる振動体を、クリーニングディスク内にフレキシブルな状態で形成したリング状ベースに取り付け、これと係合する清掃部材に伝達することにより、該クリーニングディスク内で一定間隔を往復運動を繰り返すと共に、清掃部材先端部には、フレキシブルな状態の振動が発生し、光ピックアップの対物レンズのホコリ、ゴミ等による汚れを除去出来るようにように構成されている。
【０００５】振動体を動作させる電源は、電池（例えば、ボタン電池等）を、クリーニングディスクに内蔵し、振動体とフレキシブル基板で係合し、クリーニングディスク、クランピングエリア近傍に、スイッチング機能を設け構成している。
また、他の方法としてスイッチング機能を、前記以外のクリーニングディスクの箇所に設ける事も可能にしている。
【０００６】効果的なクリーニングを行うため、クリーニングディスク外周には、回転防止レバーを設け、また必要に応じ使用出来る吸盤取り付け孔を設け構成している。
【発明の実施と形態】
【０００７】本発明の構成を図１〜図６によって説明する。
クリーニングディスク１には、中心孔２、回転止めストッパー３ａ、３ｂ、吸盤挿入孔４ａ、４ｂ、ボタン電池１６を取り付ける取り付け孔５をそれぞれ設け、フレキシブルな状態で形成したリング状ベース６を形成すると共に、クリーニングベース１１を取り付ける取り付け孔７を複数設けた凹溝８を形成している。
【０００８】振動体１０は、リング状ベース６に嵌め込まれ、該リング状ベース６の先端に係合させるため形成したフック９と、清掃部材１４を設けたクリーニングベース１１の係合部１３を係合させ、該クリーニングベースに複数設けた振動による往復運動を可能とし設けた溝１２にピン１５を、クリーニングベース１１に設けた取り付け孔７に挿入し取り付ける。また、電池１６は電池取り付け孔５に嵌め込む。
【０００９】また、電源リード１７はフィルム基盤で形成し片側のみスイッチング用接点１９ｂをスイッチング可能に配置し、その上部に接点１９ａを設けたスイッチ１８を取り付け回路を形成する。また、電池１６の電極及び振動体１０の電極は自動接合を可能としている。
【実施例】
【００１０】本発明の実施例を図７及び図８によって説明する。
プレーヤ２３のトレー２０を、イジェクトボタン操作し引き出し、クリーニングディスク１をトレー２０にセットする。此の際トレー２０に切り欠き２１がある場合は、クリーニングディスク１の外周に設けた回転止めストッパー３ａ及び３ｂを、トレー２０の切り欠き２１に合わせる。此の際クリーニングディスクに設けた吸盤孔４ａ、４ｂを使用して吸盤２２をセットする。
また、トレー２０に切り欠きがない場合は、吸盤２２をセットする。【００１１】前記の通りセットしたクリーニングディスク１をプレーヤ２３に挿入すると、該クリーニングディスク１は、スピンドルベース２２にセットされ、同時にディスク押さえパット２６がディスク押さえアーム２５によって、クリーニングディスク１を押さえ、此の際のディスク押さえパットの圧着によりクリーニングディスク１のスイッチ１８動作し接点１９ａ及び接点１９ｂが接合し、光ピックアップの対物レンズ２８及びアクチュエーター２７上部をクリーニングする。
【発明の効果】
【００１２】本発明は、以上説明したような形態で実施され以下に記載されるような効果を奏する。
クリーニングディスクに振動体をフレキシブルな状態でリング状ベースに取り付けクリーニングベースと係合しているため、清掃部材の往復運動はもとより該清掃部材の先端はフレキシブルな状態の微細振動が起き、光ピックアップの対物レンズ、及びその周辺のホコリゴミ、等による汚れを、機器にダメージを与えず確実にクリーニングできる。
【００１３】光ピックアップ対物レンズに付着した頑固な汚れもクリーニング時間をコントロールすることにより十分なクリーニングができる。
【００１４】省電力で操作できるので長時間の使用が可能である。
【図面の簡単な説明】
【図１】本発明の、光ピックアップの対物レンズクリーニングディスクを示す平面図である。
【図２】本発明の、光ピックアップの対物レンズクリーニングディスクを示す正面図である。
【図３】本発明の、光ピックアップの対物レンズクリーニングディスクのＡ−Ａ断面図である。
【図４】本発明の、光ピックアップの対物レンズクリーニングディスクのＢ−Ｂ断面図である。
【図５】本発明の、光ピックアップの対物レンズクリーニングディスクの振動体取り付け部分を示す詳細図である。
【図６】本発明の、光ピックアップの対物レンズクリーニングディスクの振動体取り付け部分を示すＣ−Ｃ断面図である。
【図７】本発明の、光ピックアップの対物レンズクリーニングディスクをトレーにセットした状態を示す実施例図である。
【図８】本発明の、光ピックアップの対物レンズクリーニングディスクの動作状態を示す実施例図である。
【符号の説明】
１：クリーニングディスク
２：中心孔
３ａ、３ｂ：回転止めストッパー
４ａ、４ｂ：吸盤孔
５：電池取り付け孔
６：リング状ベース
７：クリーニングベース取り付け孔
８：凹溝
９：フック
１０：振動体
１１：クリーニングベース
１２：溝
１３：係合部
１４：清掃部材
１５：ピン
１６：電池
１７：電源リード
１８：スイッチ
１９ａ、１９ｂ：接点
２０：トレー
２１：切り欠き
２２：吸盤
２３：プレーヤ
２４：スピンドルベース
２５：ディスク押さえアーム
２６：ディスク押さえパット
２７：アクチュエーター
２８：対物レンズ
【図１】
2006024340.tif 000003
【図２】
2006024340.tif 000004
【図３】
2006024340.tif 000005
【図４】
2006024340.tif 000006
【図５】
2006024340.tif 000007
【図６】
2006024340.tif 000008
【図７】
2006024340.tif 000009
【図８】
2006024340.tif 000010